(57)【要約】【課題】特定の条件に従って通信回線を自動切換えするとともに、選択された通信回線での接続ができないときには以前の通信回線での接続を継続可能にする。【解決手段】ユーザが、通信モード切り替え時刻、切り替えたい通信モードを予め設定する（Ｓ１）。設定時刻になったことを制御部１０が認識すると、現在動作していない通信モードにおける通信方式の無線部分を動作させ、現在の地点が切り替えたい通信モードで通信が可能な状態か否かをサーチする（Ｓ２）。サーチ後、この指定された通信モードでの通信が可能であるか否かを判定し（Ｓ３）、通信が可能と判断された場合（Ｓ３，ＹＥＳ）、指定された通信モードに切り替え（Ｓ４）、以前に動作中の通信モードはＯＦＦにする。切り替えたい通信モードの通信網が存在しない場合（Ｓ３，ＮＯ）には、通信モードを変更しないで、以前の通信モードを継続して動作させる（Ｓ５）。【選択図】図２
2009201039.tif 000002
【特許請求の範囲】
【請求項１】
第１の通信方式による通信手段と、予め設定された特定の条件が検出されたときに起動される第２の通信方式による通信手段と、前記特定の条件が検出されたとき前記第２の通信方式による通信手段を起動して該第２の通信方式への接続サーチを行い、接続が可能なとき前記第２の通信方式による通信に切り替えるとともに前記第１の通信方式による通信を停止し、前記第２の通信方式への接続が不可能なとき前記第１の通信方式による通信を継続する制御を行う通信方式切り替え手段を備えていることを特徴とする携帯通信端末。
【請求項２】
前記第１の通信方式は、携帯電話網を用いる移動体通信方式であり、前記第２の通信方式は、無線ＬＡＮによる通信方式であることを特徴とする請求項１に記載の携帯通信端末。
【請求項３】
前記第２の通信方式による通信を行う時刻を予め設定して記憶する通信モード切り替え時刻設定手段を備え、前記通信方式切り替え手段は、前記設定された時刻を、前記特定の条件として検出することにより前記第２の通信方式による通信手段を起動する制御を行うことを特徴とする請求項１または２に記載の携帯通信端末。
【請求項４】
当該携帯通信端末の過去の着信履歴、発信履歴を記憶する通信履歴記憶手段を備え、前記通信方式切り替え手段は、前記通信履歴記憶手段に記憶されている前記第２の通信方式による過去の通信時刻を、前記特定の条件として検出することにより前記第２の通信方式による通信手段を起動する制御を行うことを特徴とする請求項１または２に記載の携帯通信端末。
【請求項５】
非接触近距離無線通信手段を備え、前記通信方式切り替え手段は、前記非接触近距離無線通信手段による無線通信の発生とその状態を、前記特定の条件として検出することにより前記第２の通信方式による通信手段を起動する制御を行うことを特徴とする請求項１〜４のいずれか１項に記載の携帯通信端末。
【請求項６】
当該携帯通信端末の電源がＯＦＦされている状態で前記非接触近距離無線通信手段による無線通信が発生したときに該無線通信の状態を記憶する状態記憶手段を備え、前記通信方式切り替え手段は、当該携帯通信端末の電源がＯＮされたとき、前記状態記憶手段に記憶されている前記無線通信の状態を、前記特定の条件として検出することを特徴とする請求項５に記載の携帯通信端末。
【請求項７】
携帯通信端末がそなえているコンピュータに、第１の通信方式による通信の処理、予め設定された特定の条件が検出されたときに起動される第２の通信方式による通信の処理、前記特定の条件が検出されたとき前記第２の通信方式による通信手段を起動して該第２の通信方式への接続サーチを行い、接続が可能なとき前記第２の通信方式による通信に切り替えるとともに前記第１の通信方式による通信を停止し、前記第２の通信方式への接続が不可能なとき前記第１の通信方式による通信を継続する制御を行う通信方式切り替え処理、を実行させるためのプログラム。
【請求項８】
前記第２の通信方式による通信を行う時刻を予め設定する通信モード切り替え時刻設定処理、該設定された時刻を前記特定の条件として検出する処理、該特定の条件が検出されたとき前記通信方式切り替え処理を実行させる請求項７に記載のプログラム。
【請求項９】
当該携帯通信端末の過去の着信履歴、発信履歴を記憶する通信履歴記憶処理、前記通信履歴記憶処理で記憶された前記第２の通信方式による過去の通信時刻を前記特定の条件として検出する処理、該特定の条件が検出されたとき前記通信方式切り替え処理を実行させる請求項７に記載のプログラム。
【請求項１０】
非接触近距離無線通信方式による通信処理、該非接触近距離無線通信方式による無線通信の発生とその状態を前記特定の条件として検出する処理、該特定の条件が検出されたとき前記通信方式切り替え処理を実行させる請求項７〜９のいずれか１項に記載のプログラム。
【請求項１１】
当該携帯通信端末の電源がＯＦＦされている状態で前記非接触近距離無線通信方式による通信処理が発生したときに該無線通信処理の状態を記憶する処理、当該携帯通信端末の電源がＯＮされたとき、該記憶された無線通信処理の状態を前記特定の条件として検出する処理を実行させる請求項１０に記載のプログラム。
【発明の詳細な説明】
【技術分野】
【０００１】
本発明は、例えば携帯電話網を使った通信手段と無線ＬＡＮを使った通信手段等の、複数の無線通信手段を備えた携帯通信端末に関する。
【背景技術】
【０００２】
携帯電話網を使った通信と無線ＬＡＮを使った通信等の、複数の通信モードによる通信が可能な携帯通信端末において、これら複数の通信モードから所定の通信モードを自動的に選択可能にする技術が特許文献１〜２等で提案されている。
【０００３】
特許文献１に記載された発明では、携帯通信端末に、携帯電話網を使った通信手段、無線ＬＡＮ等を使った通信手段、および外部端末装置との間で被接触ＩＣ通信を行う非接触通信手段を備え、非接触通信手段による外部端末装置との被接触通信の実行を契機として、携帯電話網を使った通信手段と、無線ＬＡＮ等を使った通信手段のいずれを利用するかを自動的に切り替え可能にしている。
【０００４】
また、特許文献２に記載された発明では、携帯端末装置に、移動体通信網を使った通信回線と、無線ＬＡＮを使った通信回線のいずれを使用するかを、通信機能毎に時間帯に応じて設定する手段を設け、起動対象の通信機能が指定された際に、時間帯を判別して、当該起動対象の通信機能に設定されている通信回線を自動的に選択して起動するようにしている。
【０００５】
【特許文献１】特開２００６−０３３５５２号公報
【特許文献２】特開２００７−２５９１６９号公報
【発明の開示】
【発明が解決しようとする課題】
【０００６】
特許文献１に記載された発明によれば、非接触ＩＣカード機能による通信の発生とその状態を契機として自動的に通信モードが切り替わるので、ユーザによる設定切り替え操作を行うことなく、所定の無線通信システムを選択することができるが、選択された所定の無線通信システムへの接続に失敗した場合における処理動作については記載されておらず、その場合にはユーザによる最適通信モードへの再設定操作が必要になる。
【０００７】
また、特許文献２に記載された発明によれば、通信機能毎に時間帯に応じて優先選択する通信回線を任意に設定し、通信制御手段は、起動対象の通信機能が指定された際に、現在日時を取得して現在日時がどの時間帯に属しているかを判別し、この時間帯に対応して当該起動対象の通信機能に設定されている通信回線を優先選択して当該通信機能を起動するので、ユーザ自身による回線の切り替え操作が不要となるが、特許文献２に記載の発明においても、選択された通信回線での接続ができない場合の動作については言及されていない。
【０００８】
本発明の目的は、上述した課題を解決することが可能な、無線ＬＡＮ機能付き携帯通信端末を提供することにある。
【課題を解決するための手段】
【０００９】
本発明の携帯電話端末は、第１の通信方式による通信手段と、予め設定された特定の条件が検出されたときに起動される第２の通信方式による通信手段と、前記特定の条件が検出されたとき前記第２の通信方式による通信手段を起動して該第２の通信方式への接続サーチを行い、接続が可能なとき前記第２の通信方式による通信に切り替えるとともに前記第１の通信方式による通信を停止し、前記第２の通信方式への接続が不可能なとき前記第１の通信方式による通信を継続する制御を行う通信方式切り替え手段を備えていることを特徴とする。
【００１０】
本発明のプログラムは、携帯通信端末がそなえているコンピュータに、第１の通信方式による通信の処理、予め設定された特定の条件が検出されたときに起動される第２の通信方式による通信の処理、前記特定の条件が検出されたとき前記第２の通信方式による通信手段を起動して該第２の通信方式への接続サーチを行い、接続が可能なとき前記第２の通信方式による通信に切り替えるとともに前記第１の通信方式による通信を停止し、前記第２の通信方式への接続が不可能なとき前記第１の通信方式による通信を継続する制御を行う通信方式切り替え処理、を実行させることを特徴とする。
【発明の効果】
【００１１】
本発明によれば、通信モード切り替えの設定をしておくことで、ユーザが意識することなく自動的に通信モードが切り替わり、通信モードの切り替えの煩わしさを改善することができるとともに、通信モードの切り替えができなかった場合には、切り替え前の通信モードを継続して使用するように制御しているので、切り替え前の通信モードで通信が可能であるにも拘らず通信が不可能になる状況を防止することができる。
【発明を実施するための最良の形態】
【００１２】
図１は、本発明の第１の実施形態を示す無線ＬＡＮ機能付き携帯電話端末のブロック構成図である。
【００１３】
本実施形態の携帯電話端末は、端末全体の制御を行う制御手段である制御部１０、ユーザが操作を行うインターフェースとなるユーザ操作部１３、制御部１０により実行される各種制御プログラムを格納する格納手段であるＲＯＭと制御部１０のワークエリアとしての使用や一時的なユーザ設定を格納することができるＲＡＭから構成されるメモリ１４、本端末の電源部１５、制御部１０の指示により表示が可能なＬＣＤ１６、端末のカウンタの基準となるクロック１７とそれをカウントするカウンタ１８、携帯電話網で通信する場合の無線部となる携帯電話無線部１９、無線ＬＡＮ通信を行う場合の無線部となる無線ＬＡＮ通信部２０から構成される。
【００１４】
また制御部１０は、端末の制御を行う端末制御手段１１、カウンタ１８を用いた時間管理をするための時間を認識する経過時間認識手段１２を有しており、これらの制御手段も、ＲＯＭに格納されている制御プログラムを実行するコンピュータ処理により実現される。
【００１５】
図２は、本実施形態の携帯電話端末を用いた実施例１の動作を示すフローチャートである。以下、本実施例の動作について、図１〜図２を参照して説明する。
【００１６】
本実施例では、まずユーザが、ユーザ操作部１３を通して通信モード切り替え時刻、切り替えたい通信モードを予め設定する（Ｓ１）。設定時刻になったことを制御部１０が認識すると、現在動作していない通信モードにおける通信方式の無線部分を動作させ、現在の地点が切り替えたい通信モードで通信が可能な状態か否かをサーチする（Ｓ２）。
【００１７】
例えば本実施形態の携帯電話端末において、通常は、携帯電話無線部１９が起動されて携帯電話網を用いた移動体通信モードによる通信が可能に設定され、予め指定した時刻に無線ＬＡＮ通信による通信に切り替えるように設定されている場合、予め指定された設定時刻になったことを制御部１０が認識すると、制御部１０は、無線ＬＡＮ通信部２０を起動して帰属可能な無線ＬＡＮアクセスポイントが存在するかをサーチする。その際、携帯電話無線部１９は基地局との接続状態を維持する。
【００１８】
サーチ後、この設定された通信モードでの通信が可能であるか否かを判定し（Ｓ３）、通信が可能と判断された場合（Ｓ３，ＹＥＳ）には、設定された通信モードに切り替え（Ｓ４）、それ以前に動作中の通信モードはＯＦＦにする。切り替えたい通信モードの通信網が存在しない場合（Ｓ３，ＮＯ）には、通信モードを変更しないで（Ｓ５）、以前の通信モードを継続して動作させる。
【００１９】
本実施形態によれば、通信モード切り替え時刻が予め設定されているので、ユーザが意識することなく自動的に通信モードを切り替えることができるとともに、通信モードの切り替えができなかった場合、切り替え前の通信モードを継続して使用するように制御しているので、切り替え前の通信モードで通信が可能であるにも拘らず通信が不可能になる状況を回避することができる。
【００２０】
図３は、本実施形態の携帯電話端末を用いた実施例２の動作を示すフローチャートである。以下、本実施例の動作について、図１、図３を参照して説明する。
【００２１】
本実施例では、本実施形態の携帯電話端末に備えられたメモリ部１４のユーザ情報領域に記憶されている過去の着信履歴、発信履歴の情報を参照してモード切り替えを実行する構成となっている。
【００２２】
過去の通信履歴から通信が行われた時刻となったことを制御部１０が認識すると（Ｓ１１）、制御部１０は過去の通信履歴においてその時刻に行われた通信方式が何かを確認し（Ｓ１２）、現在起動されている通信モードが確認した通信方式であるか否かを判定する（Ｓ１３）。判定の結果、現在起動されている通信モードが確認した通信方式である場合（Ｓ１３、ＹＥＳ）には、現在起動されている通信モードを維持し、現在起動されている通信モードが確認した通信方式でない場合（Ｓ１３、ＮＯ）には、通信モードを履歴の通信が行われた通信方式に切り替える（Ｓ１４）。
【００２３】
次に、履歴の通信が行われた通信方式による通信が現在位置で通信可能か否かを判定する（Ｓ１５）。通信が可能な状態（Ｓ１５、ＹＥＳ）であれば、通信モードを切り替えずに履歴の通信が行われた通信方式による通信モードを維持する（Ｓ１６）。履歴の通信が行われた通信方式による通信が不可能な状態のとき（Ｓ１５、ＮＯ）には、通信モードの切り替えを行う（Ｓ１７）。
【００２４】
例えば本実施形態の携帯電話端末において、過去の通信履歴から無線ＬＡＮ通信による通信が行われた時刻を認識したとき、現在起動されている通信方式が無線ＬＡＮ通信による通信モードであるときは帰属可能な無線ＬＡＮアクセスポイントが存在するかをサーチし、現在起動されている通信方式が携帯電話網を用いた移動体通信モードである場合には、無線ＬＡＮ通信による通信モードに切り替えて帰属可能な無線ＬＡＮアクセスポイントが存在するかをサーチする。
【００２５】
そして、無線ＬＡＮへの接続が可能であれば、無線ＬＡＮ通信による通信モードをそのまま継続して動作させ、無線ＬＡＮへの接続が不可能なときは、携帯電話網を用いた移動体通信モードに切り替える。
【００２６】
なお、本実施例では履歴時刻ちょうどにモード切替えのためのサーチを実施したが、着信、発信履歴時刻の一定時間前から無線ＬＡＮ網のサーチを実行してモードの切り替えを行っても良く、過去の着信、発信履歴に関連して事前に通信モード切り替えを実行することも可能である。
【００２７】
図４は、本発明の第２の実施形態を示す無線ＬＡＮ機能付き携帯電話端末のブロック構成図である。
【００２８】
本実施形態の携帯電話端末は、第１の実施形態の携帯電話端末に、非接触通信部２１および非接触通信制御部２２を付加した構成となっている。非接触通信部２１は非接触ＩＣカード等の非接触近距離無線通信手段として構成されており、入場、退場システムにおいて建物入口や改札等に設置された非接触無線通信ゲートとの間で非接触通信を行う無線通信部である。非接触通信制御部２２は非接触通信部２１からのデータやコマンドを制御する。
【００２９】
本実施形態の携帯電話端末では、非接触通信が発生したことをトリガにして通信モードの切り替えを行うことにより、入場、退場においてユーザが意識することなく通信モードを切り替えることが可能となるとともに、通信モードの切り替えができなかった場合、切り替え前の通信モードを継続して使用するように制御しているので、切り替え前の通信モードで通信が可能であるにも拘らず通信が不可能になる状況を回避することができる。
【００３０】
図５は、本実施形態の携帯電話端末を用いた実施例３の動作を示すフローチャートである。以下、本実施例の動作について、図４〜図５を参照して説明する。
【００３１】
本実施例では、携帯電話端末はこの入場、退場システムから退場したときには、携帯電話網を利用する移動体通信モードに切り替え設定されるように構成されている。非接触通信制御部２２は、本実施形態の携帯電話が非接触無線通信ゲートを通過したことを検出すると（Ｓ３１）、それが入場か退場かを判定する（Ｓ３２）。Ｓ３２において入場と判定された場合、現在接続中の通信モード以外に接続可能な通信方式があるか否かをサーチする（Ｓ３３）。
【００３２】
サーチした結果、現在接続中の通信モード以外の通信方式によって通信が可能と制御部１０で判定された場合（Ｓ３４）、該通信が可能な方式の通信モードへの切り替えを実行する（Ｓ３５）。Ｓ３４において、現在接続中の通信モード以外に通信可能な通信方式が存在しない場合は、通信モード切り替えを実行しない（Ｓ３６）。また、Ｓ３２において、退場と判定された場合、通信モードを、携帯電話網を利用する移動体通信モードのみに切り替える（Ｓ３７）。
【００３３】
なお、第１の実施例同様にＳ３３のサーチにおいて、通信モードの切り替え前後で同じ通信方式が許可されている場合には、その通信方式でのサーチは必要なく、許可されていなかった通信方式でのみサーチすればよい。
【００３４】
たとえば携帯電話網を用いた移動体通信モードから移動体通信と無線ＬＡＮの双方を許可するモードへ切り替えるような場合には、無線ＬＡＮ通信部２０を用いて帰属可能な無線ＬＡＮアクセスポイントが存在するかをサーチすればよく、切り替え前の通信モードで許可されていた通信方式である携帯電話網を使った移動体通信のサーチを行う必要はない。
【００３５】
図６は、本実施形態の携帯電話端末を用いた実施例４の動作を示すフローチャートである。
【００３６】
実施例３では、非接触無線通信ゲートの通信をトリガに通信モードの切り替えを行ったが、一般に、非接触無線通信は携帯電話端末の電源がＯＦＦされた状態でも通信が可能であり、ゲートを通過することができる。
【００３７】
そこで本実施例では、非接触無線通信ゲートにて通信が行われたときに携帯電話端末の電源がＯＦＦされていた場合には、ゲート通過後に、携帯電話端末の電源がＯＮされた時点で、通信モードを自動的に切り替えるための制御を実行させる。以下、本実施例の動作について、図４、図６を参照して説明する。
【００３８】
非接触通信制御部２２は、本実施形態の携帯電話が非接触無線通信ゲートを通過したことを検出すると（Ｓ４１）、それが入場か退場かを判定し、メモリに記憶する（Ｓ４２）。その後の携帯電話端末起動時（Ｓ４３）に、メモリに記憶されている状態から入場、退場を判定し（Ｓ４４）、入場であれば、現在接続中の通信モード以外に接続可能な通信方式があるか否かをサーチする（Ｓ４５）。
【００３９】
サーチした結果、現在接続中の通信モード以外の通信方式によって通信が可能と制御部１０で判定された場合（Ｓ４６）、該通信が可能な方式の通信モードへの切り替えを実行する（Ｓ４７）。Ｓ４６において、現在接続中の通信モード以外に通信可能な通信方式が存在しない場合は、通信モード切り替えを実行しない（Ｓ４８）。また、Ｓ４４において、退場と判定された場合、通信モードを、携帯電話網を利用する移動体通信モードのみに切り替える（Ｓ４９）。
【００４０】
本実施例によれば、この入場、退場システムへの入退場時に、携帯電話端末の電源がＯＦＦされていた場合であっても、その後、携帯電話端末の電源がＯＮされた時点で、メモリに記憶されている状態から直前の入場、退場を判定できるので、最適の通信モードへの切り替えが可能となる。
【図面の簡単な説明】
【００４１】
【図１】本発明の第１の実施形態を示す無線ＬＡＮ機能付き携帯電話端末のブロック構成図である。
【図２】図１に示す携帯電話端末を用いた実施例１の動作を示すフローチャートである。
【図３】図１に示す携帯電話端末を用いた実施例２の動作を示すフローチャートである。
【図４】本発明の第２の実施形態を示す無線ＬＡＮ機能付き携帯電話端末のブロック構成図である。
【図５】図４に示す携帯電話端末を用いた実施例３の動作を示すフローチャートである。
【図６】図４に示す携帯電話端末を用いた実施例４の動作を示すフローチャートである。
【符号の説明】
【００４２】
１０  制御部
１１  端末制御手段
１２  経過時間認識手段
１３  ユーザ操作部
１４  メモリ
１５  電源部
１６  ＬＣＤ
１７  クロック
１８  カウンタ
１９  携帯電話無線部
２０  無線ＬＡＮ通信部
２１  非接触通信部
２２  非接触通信制御部
【図１】
2009201039.tif 000003
【図２】
2009201039.tif 000004
【図３】
2009201039.tif 000005
【図４】
2009201039.tif 000006
【図５】
2009201039.tif 000007
【図６】
2009201039.tif 000008